(57)【要約】    【課題】      様々な使用状態に対応して動作モードの異なるアンテナを選択的に切り替えながら、放送電波を受信するときに高いアンテナ感度を実現すること。    【解決手段】  水平指向特性を有する磁界モードアンテナ素子であるループアンテナ素子７が、下部筐体２のヒンジ部３の近傍において携帯電話機１００の幅方向（Ｙ軸方向）に沿って配置され、整合回路８を介して高周波スイッチ９に接続されている。垂直指向特性を有する電界モードアンテナ素子であるイヤホンケーブル１２で受信されたテレビジョン放送信号はイヤホンコネクタ１３を経由して高周波スイッチ９に入力される。アンテナ切替制御部１５は、放送受信回路１０における受信信号強度を検出し、その受信信号レベルに応じて高周波スイッチ９をループアンテナ素子７またはイヤホンコネクタ１３へ選択的に切り替えるように動作する。    【選択図】    図１
2006050136.tif 000002
【特許請求の範囲】
【請求項１】
放送電波を受信する放送受信機を備えた携帯電話機であって、
磁界モードで動作する磁界モードアンテナ素子と、
電界モードで動作する電界モードアンテナ素子と、
前記磁界モードアンテナ素子と前記電界モードアンテナ素子を選択的に切り替えるアンテナ切替手段と、
前記放送電波を受信する放送受信手段と、
前記放送受信手段の受信状態に応じて前記アンテナ切替手段の切替え制御を行うアンテナ切替制御手段と、
を備えることを特徴とする携帯電話機。
【請求項２】
前記アンテナ切替制御手段は、前記受信状態を判断するために前記放送電波の受信信号レベルを用いることを特徴とする請求項１に記載の携帯電話機。
【請求項３】
前記磁界モードアンテナ素子は、ループアンテナ素子のループ開口面が携帯電話機の面に対して直交に配置されて構成されたものであることを特徴とする請求項１又は請求項２に記載の携帯電話機。
【請求項４】
前記ループアンテナ素子は、前記ループ開口面が携帯電話機の長手方向に対して平行に配置されていることを特徴とする請求項３に記載の携帯電話機。
【請求項５】
前記ループアンテナ素子は、携帯電話機の表示部が配置されている面に対向する面側に配置されていることを特徴とする請求項３又は請求項４に記載の携帯電話機。
【請求項６】
前記電界モードアンテナ素子は、イヤホンを接続するイヤホンケーブルによって構成されていることを特徴とする請求項１から請求項５のいずれかに記載の携帯電話機。
【請求項７】
前記電界モードアンテナ素子は、ヘリカルアンテナ素子であることを特徴とする請求項１から請求項５のいずれかに記載の携帯電話機。
【発明の詳細な説明】
【技術分野】
【０００１】
本発明は、放送電波を受信する放送用受信機を備えた携帯電話機に関し、特に、放送電波を受信するための放送受信用アンテナに改良を加えた携帯電話機に関する。
【背景技術】
【０００２】
近年、テレビジョン受信機能の搭載された放送用受信機付きの携帯電話機（以下、単に携帯電話機という）が広く普及しており、これらの携帯電話機のテレビジョン受信用アンテナには様々な改良が加えられてアンテナ特性の向上が図られている。例えば、特許文献１には、モノポールアンテナと電池とによってダイポールアンテナを構成し、受信機に対して垂直に伸びるアンテナ部分を短くしても高いアンテナ利得が得られるテレビジョン受信用アンテナの技術が開示されている。また、特許文献２には、２つのループアンテナを直交するように配置し、人体装着時における使用状態に対応して偏波を切り替えることによって人体の影響による特性劣化の防止を図ったアンテナ技術が開示されている。さらに、特許文献３には、受信チャネルに応じて２つのアンテナの組み合せを切り替えることによって高いアンテナ利得が得られるアンテナ技術が開示されている。
【特許文献１】特開２００１−２５１１３１号公報
【特許文献２】特開平１０−８４２０９号公報
【特許文献３】特開平６−１１３２２０号公報
【発明の開示】
【発明が解決しようとする課題】
【０００３】
しかしながら、上記の特許文献１に示されている技術では、アンテナの主偏波が垂直偏波であるため、テレビジョン放送電波において主流である水平偏波に対する感度を高くすすることができない。また、上記の特許文献２に示されている技術では、主偏波方向を２つの異なる方向へ切り替えることは可能であるが、使用者が携帯電話機を手で保持した状態や、携帯電話機を人体に近接した場合や人体から離した場合などの様々な使用状態に対応して最適なアンテナ性能を確保できるように考慮されていない。つまり、磁界アンテナであるために人体から離れた場合には十分な利得が得られない。さらには、ループアンテナが大きいために携帯電話機としての外観がよくない。また、上記の特許文献３に示されている技術では、携帯電話機に搭載可能な小型アンテナの構造についての考慮がなされていないので、携帯電話機などに適用することができない。
【０００４】
本発明は、上記の事情に鑑みてなされたものであり、様々な使用状態に対応して動作モードの異なるアンテナを選択的に切り替えながら、放送電波を受信するときに高いアンテナ感度を実現する放送用受信機付きの携帯電話機を提供することを目的とする。
【課題を解決するための手段】
【０００５】
上記の目的を達成するために、本発明に係る携帯電話機は、放送電波を受信する放送受信機を備えた携帯電話機であって、磁界モードで動作する磁界モードアンテナ素子と、電界モードで動作する電界モードアンテナ素子と、磁界モードアンテナ素子と電界モードアンテナ素子を選択的に切り替えるアンテナ切替手段と、放送電波を受信する放送受信手段と、放送受信手段の受信状態に応じてアンテナ切替手段の切替え制御を行うアンテナ切替制御手段とを備えた構成を採る。
【発明の効果】
【０００６】
本発明の携帯電話機によれば、放送電波の受信状態（つまり、受信信号レベル）に応じて、磁界モードアンテナ素子と電界モードアンテナ素子とを選択的に切り替えているので、有効に偏波ダイバーシチ効果を得ることができる。したがって、放送電波を受信するときに常に高いアンテナ性能を実現することができる。また、磁界モードアンテナであるループアンテナ素子のループ開口面が携帯電話機の表面に対して直交に配置された構成になっているので、使用者が携帯電話機を人体に近接させて放送電波を受信しているときでも、人体から離して放送電波を受信しているきでも、常に高いアンテナ性能を得ることができる。
【０００７】
また、本発明の携帯電話機によれば、ループアンテナ素子のループ開口面が携帯電話機の長手方向に対して平行に配置されていると共に、ループアンテナ素子が携帯電話機の表示部に対向して配置されているので、使用者が携帯電話機を用いて放送電波を視聴する状態においては、放送電波の主成分である水平偏波特性について高いアンテナ性能を得ることができる。さらに、本発明の携帯電話機によれば、電界モードアンテナ素子としてイヤホンケーブルを用いたりヘリカルアンテナ素子を用いたりしているので、使用者が携帯電話機を人体に近接させて使用した場合でも人体から離して使用した場合でも、偏波ダイバーシチ効果によって常に高いアンテナ性能が得られ、かつ、偏派ダイバーシチ効果が得られる。
【０００８】
つまり、本発明によれば、放送用受信機付きの携帯電話機を用いてテレビジョン放送を視聴している状態においては、携帯電話機が人体に近接した場合でも人体から離れた場合でも常に高いアンテナ性能が得られる。言い換えれば、携帯電話機が人体近傍に置かれる位置関係や携帯電話機の向きに関わらず常に高いアンテナ性能が得られ、安定したテレビジョン映像を受信することができる。
【発明を実施するための最良の形態】
【０００９】
以下、図面を参照しながら、本発明における放送用受信機付き携帯電話機の実施の形態の幾つかを詳細に説明する。なお、各実施の形態で用いる図面で同一の構成要素は同一符号を付し、かつ重複する説明は省略することにする。また、以下の各実施の形態では、放送用受信機付き携帯電話機を単に携帯電話機という。
【００１０】
まず、理解を容易にするために本発明における携帯無線端末の概要について説明する。本発明における携帯無線端末は、放送電波を受信する機能を有する携帯電話機であって、地上に対して水平指向特性を有し、磁界モードで動作する磁界モードアンテナ素子と、地上に対して垂直指向特性を有し、電界モードで動作する電界モードアンテナ素子との２つのアンテナを備えている。そして、アンテナ切替手段が放送電波の受信状態に応じて受信信号レベルの高い方のアンテナ素子を選択する。これによって、放送電波に対して常に高いアンテナ感度を維持することができる。具体的には、磁界モードアンテナ素子としてループアンテナ素子を用い、電界モードアンテナ素子としてイヤホンケーブルを用い、ループアンテナ素子又はイヤホンケーブルのいずれかのうち受信信号レベルが高い方のアンテナ素子を選択してアンテナ特性の高い状態を維持している。
【００１１】
＜実施の形態１＞
図１は、本発明の実施の形態１に係る携帯電話機の背面透視図である。また、図２は、図１に示す携帯電話機におけるループアンテナ素子の説明図であり、（ａ）は携帯電話機の一部分の背面透視図、（ｂ）は（ａ）の側面透視図、（ｃ）は（ａ）の上面透視図である。さらに、図３は、図１に示す携帯電話機におけるイヤホンケーブルの説明図である。
【００１２】
なお、図１及び図２にはそれぞれ座標系が示されているが、以下の説明において電波の指向方向などを指定するためにこの座標系を用いるので、ここで各図における座標系の定義について説明する。図１の場合、右手の人差指と中指と親指とをそれぞれ直角にしたとき、中指をＸ軸方向（図の紙裏から紙表に向かう方向）、親指をＹ軸方向（図の左から右に向かう方向）、人差指をＺ軸方向（図の下部から上部に向かう方向）に向ける座標系が示されている。
【００１３】
図２に示されている座標系の定義も図１と同じである。つまり、図２（ａ）では、Ｘ軸（中指）が図の紙裏から紙表に向かう方向、Ｙ軸（親指）が図の左から右に向かう方向、Ｚ軸（人差指）が図の下部から上部に向かう方向を示している。また、図２（ｂ）では、Ｙ軸（親指）が図の紙表から紙裏に向かう方向、Ｘ軸（中指）が図の左から右に向かう方向、Ｚ軸（人差指）が図の下部から上部に向かう方向を示し、図２（ｃ）では、Ｚ軸（人差指）が図の紙表から紙裏に向かう方向、Ｙ軸（親指）が図の左から右に向かう方向、Ｘ軸（中指）が図の下部から上部に向かう方向を示している。
【００１４】
以下、図１、図２及び図３を用いて本発明の実施の形態１における携帯電話機について説明する。図１に示すように、実施の形態１の携帯電話機１００は、上部筐体１及び下部筐体２がヒンジ部３によって回動可能なように支持された構造の折畳式携帯電話機である。上部筐体１及び下部筐体２は絶縁体である樹脂材料による成形品で構成されている。下部筐体２のヒンジ部３の近傍に配置されている通信アンテナ４は、例えばヘリカルアンテナ素子で構成される携帯電話機の無線通信用アンテナである。通信アンテナ４は給電線５によって送受信回路６から給電されており、送受信回路６は携帯電話機１００の無線通信電波の送受信を行う。
【００１５】
ループアンテナ素子７（つまり、磁界モードアンテナ素子）はテレビジョン受信用内蔵アンテナとして動作するものであり、下部筐体２のヒンジ部３近傍に携帯電話機の幅方向すなわちＹ軸方向に沿って配置されている。なお、ループアンテナ素子７は、整合回路８によってテレビジョン放送周波数である４７０ＭＨｚから７００ＭＨｚ程度の範囲においてインピーダンス整合が取られている。
【００１６】
高周波スイッチ（アンテナ切替手段）９は、例えばＰＩＮダイオードやＦＥＴで構成される高周波切替回路であり、その一端には整合回路８が接続されている。また、高周波スイッチ９の出力端子は放送受信回路１０に入力されている。なお、放送受信回路（放送受信手段）１０はテレビジョン放送波の受信を行う受信回路である。
【００１７】
イヤホン１１は、使用者が耳に差し込みテレビジョンの音声を聴くためのものであり、イヤホンケーブル１２によってイヤホンコネクタ１３に接続されている。放送受信回路１０から出力された音声信号が音声信号線１４を介してイヤホンコネクタ１３に入力される。表示部１６は、上部筐体１の表面すなわち−Ｘ軸側（紙面の裏側）の面に配置された液晶表示装置である。放送受信回路１０から出力された映像信号は、映像信号線１８を介してヒンジ部３を通して上部筐体１の内部に配置された画像処理部１７に入力され、画像処理部１７が表示部１６の画像表示の制御を行う。
【００１８】
イヤホンケーブル１２は、音声信号を伝送すると共にテレビジョン放送波の受信を行う外部アンテナ（つまり、電界モードアンテナ素子）としても動作する。イヤホンケーブル１２によって受信されたテレビジョン放送電波はイヤホンコネクタ１３を経由して高周波スイッチ９に入力される。
【００１９】
アンテナ切替制御部（アンテナ切替制御手段）１５は放送受信回路１０における受信信号強度を検出し、その受信信号レベルに応じて高周波スイッチ９を切り替えるように動作する。例えば、ループアンテナ素子７又はイヤホンケーブル１２のいずれかのうち、受信信号レベルが高い方のアンテナを選択するようにアンテナ切替制御部１５を動作させるように構成すれば、常にアンテナ特性が高い方の素子を選択することができる。
【００２０】
次に、図２を用いてループアンテナ素子７の動作について説明する。ループアンテナ素子７は、例えば、幅方向長さＬ１が４０ｍｍ、素子高さＬ２が１０ｍｍ、素子幅Ｌ３が１０ｍｍで折り返された板厚１ｍｍ程度の導体板で構成されている。また、ループアンテナ素子７の給電部の間隔Ｌ４は５ｍｍ程度に設定される。さらに、ループアンテナ素子７は、下部筐体２に搭載されている回路基板１９との間隔Ｌ５が２ｍｍに設定されて固定されている。
【００２１】
このように構成されたループアンテナ素子７のループ開口面７ａは、携帯電話機の面、すなわち回路基板１９に対して直交することになる。回路基板１９には一般にグランドパターンが全面に配置されており、したがって、ループアンテナ素子７のループ開口面７ａは携帯電話機１００のグランドパターンすなわち接地面に対して直交することになる。
【００２２】
また、ループアンテナ素子７のループ開口面７ａは携帯電話機１００の幅方向（Ｙ軸方向）に平行に配置されている。言い換えれば、携帯電話機１００の長手方向（Ｚ軸方向）に対して直交する方向（つまり、Ｙ軸方向）に平行に配置されている。このように構成されることで、ループアンテナ素子７の放射特性として、携帯電話機１００の幅方向（Ｙ軸方向）に平行、すなわち図２に示す携帯電話機の配置において水平方向（Ｙ軸方向）の水平偏波特性が得られる。
【００２３】
また、ループアンテナ素子７は携帯電話機１００の表示部１６が配置された面に対向する面、すなわち図２（ｂ）における＋Ｘ軸方向の面側に配置されている。このように構成されることで、ループアンテナ素子７の放射特性として、表示部１６が配置された面に対向する面側（つまり、図２（ｂ）における＋Ｘ軸方向の面）に水平偏波の高いアンテナ利得が得られる。
【００２４】
次に、図３を用いてイヤホンケーブル１２のアンテナ動作を説明する。図３において、グランド外導体２０は、イヤホンケーブル１２の内部において、音声信号線２１をシールドするように覆う例えば網線状の導線で構成されている。グランド外導体２０及び音声信号線２１はイヤホンケーブル１２内でイヤホン１１まで接続されている。
【００２５】
イヤホンケーブル１２の長さは、例えば５０ｃｍから１００ｃｍ程度に設定される。この長さは、テレビジョン放送受信帯域において約０.８波長から２.３波長程度となる。イヤホンケーブル１２は、挿入コネクタ部２２がイヤホンコネクタ１３に挿入されることで携帯電話機１００の内部の回路に接続される。グランド外導体２０はコイル２３を介して携帯電話機１００の内部のグランド、すなわち接地電位に接続されており、これにより音声信号線２１がグランド外導体２０によって音声信号帯域である低周波帯域においてシールド遮蔽される。
【００２６】
一方、グランド外導体２０は整合回路２４を介して高周波スイッチ９に接続される。ここでコイル２３のインダクタンス値をテレビジョン放送周波数帯域においてインピーダンスが十分高くなるように設定しておく。このように構成することで、グランド外導体２０はテレビジョン放送電波を受信する電界モードによる外部アンテナとして動作する。
【００２７】
上記のように構成された携帯電話機１００のアンテナ動作を図４及び図５を用いて説明する。図４は、図１に示す携帯電話機を用いてテレビジョン放送を視聴する状態を示す概念図である。つまり、図４は、使用者２５が携帯電話機１００を顔の正面において手で保持し、表示部１６を顔に向けてテレビジョン放送を視聴している状態を示している。このとき、イヤホン１１は使用者２５の耳に挿入されており、イヤホンケーブル１２は耳から携帯電話機１００まで垂らされている。
【００２８】
このような状態においては、ループアンテナ素子７は人体の正面、すなわち＋Ｘ軸方向に配置されており、人体の正面方向において水平偏波の高いアンテナ利得が得られる。また、イヤホンケーブル１２はほぼ垂直方向、すなわち−Ｚ軸方向に垂らされるため、イヤホンケーブル１２内のグランド外導体２０はほぼ垂直偏波特性のアンテナとして動作する。
【００２９】
このように、使用者２５が携帯電話機１００を用いてテレビジョン放送を視聴している状態において、ループアンテナ素子７とイヤホンケーブル１２は、水平偏波と垂直偏波の異なる偏波特性を有するアンテナとして動作することになり、この二つのアンテナ（つまり、ループアンテナ素子７とイヤホンケーブル１２）を高周波スイッチ９で選択することにより、偏波ダイバーシチの効果が得られる。一般に、市街地など反射物が多く存在する多重波伝搬環境においては、上記の偏波ダイバーシチの動作によって約５ｄＢ〜１０ｄＢ程度のダイバーシチ効果が得られる。
【００３０】
図５は、図１に示す携帯電話機を用いたときの各アンテナの平均利得を示す特性図である。つまり、図５は、図４に示すように使用者２５が携帯電話機１００を用いてテレビジョン放送を視聴している状態における、ループアンテナ素子７とイヤホンケーブル１２の水平面（ＸＹ面）の平均利得をグラフで示したものである。図５において、横軸は、使用者２５の顔の表面と携帯電話機１００の表示部１６との間隔ｄ〔ｃｍ〕（図４参照）を示し、縦軸は水平面（ＸＹ面）の平均利得〔ｄＢ〕を示している。つまり、図５の特性は、使用者２５の顔の表面と携帯電話機１００の表示部１６との間隔ｄを変化させた場合の水平面（ＸＹ面）の平均利得をプロットしたものである。
【００３１】
図５において、グラフ（ａ）はループアンテナ素子７の平均利得を示し、グラフ（ｂ）はイヤホンケーブル１２の平均利得を示している。図５から明らかなように、使用者２５の顔と携帯電話機１００の表示部１６との間隔ｄが約１０ｃｍ以上の範囲においては、イヤホンケーブル１２の平均利得（ｂ）がループアンテナ素子７の平均利得（ａ）もよりも高くなる。一方、間隔ｄが約１０ｃｍ以下の範囲においては、イヤホンケーブル１２の平均利得（ｂ）がループアンテナ素子７の平均利得（ａ）もよりも低くなる。
【００３２】
このような現象が発生する原因は、ループアンテナ素子７は磁界モードアンテナ素子として動作しており、イヤホンケーブル１２が電界モードアンテナ素子として動作していることにより、使用者２５の人体から受けるアンテナ動作への影響が異なるからである。
【００３３】
磁界モードアンテナとして動作するループアンテナ素子７は、人体との間隔ｄが約０.２波長（約１０ｃｍ）程度以下となる範囲においては、人体が反射体として動作すると共に人体との電磁的相互作用によって放射抵抗が高くなるため放射効率が改善する。このために、携帯電話機１００と人体との間隔ｄが約１０ｃｍ以下となるような人体近傍において利得が向上する人体効果が発生する。
【００３４】
一方、電界モードアンテナとして動作するイヤホンケーブル１２は、人体との間隔ｄが約０.２波長（約１０ｃｍ）程度以上に離れた状態では高い放射効率を示すが、人体に近接した場合は人体との電磁的相互作用によって放射抵抗が低下するため放射効率が急激に劣化する。このため、携帯電話機１００が約１０ｃｍ以上人体から離れた場合においては利得が向上する。
【００３５】
このようなアンテナ特性から、ループアンテナ素子７とイヤホンケーブル１２とを適宜に選択することにより、テレビジョン放送を視聴している状態においては、携帯電話機１００が人体に近接した場合でも人体から離れた場合でも常に高いアンテナ性能を得ることができる。このようなことから、ループアンテナ素子７（磁界モードアンテナ素子）とイヤホンケーブル１２（電界モードアンテナ素子）のいずれか一方のみを固定的に使用する場合に比べて、いずれか一方のアンテナを選択的に使用する場合は、３ｄＢから１０ｄＢ程度の人体影響に対する切替効果が得られる。さらに、このような人体影響に対する切替効果は、上記の偏波ダイバーシチ効果をさらに高めるような効果を発揮することは言うまでもない。
【００３６】
なお、実施の形態１においては、ループアンテナ素子７を下部筐体２内に内蔵したが、本発明の携帯電話機１００はこのような構成に限定されるものではなく、使用状態において使用者の手で覆われない位置にループアンテナ素子７を配置すればどのような構成であってもよい。また、磁界モードアンテナ素子はループアンテナ素子７に限るものではなく、スロットアンテナ素子など磁界モードで動作するアンテナであればどのようなアンテナ素子であってもよい。さらに、電界モードアンテナ素子はイヤホンケーブル１２に内蔵した構成に限らず、例えばモノポールアンテナ素子などの電界モードで動作するアンテナであればよい。また、ループアンテナ素子７の配置方向は実施の形態１の方向に限らず、例えば、ループ開口面が携帯電話機１００の長手方向に平行に配置された場合には、偏波ダイバーシチの効果は低くなるが人体の影響に対する切替効果は得られるので、そのような平行配置にすることもできる。
【００３７】
また、放送受信用アンテナの一方又は両方を携帯電話機通信用のアンテナと共用してもよい。例えば、通信アンテナ４を放送受信用アンテナの電界モードアンテナとして共用してもよい。また、ループアンテナ素子７を携帯電話通信用の内蔵アンテナとして共用してもよい。さらに、磁界モードアンテナ素子と電界モードアンテナ素子を切り替える方法としては、受信レベルに応じて切り替える方法に限らず、例えばユーザが携帯電話機１００の操作によってマニュアルで切り替えるように構成してもよいし、イヤホンケーブル１２をイヤホンコネクタ１３に挿入した場合にはイヤホンケーブル１２側に強制的に切り替えられるように構成してもよい。また、実施の形態１においては、折畳式携帯電話機における構成例を示したが、上部筐体１と下部筐体２に分割されていないストレート型携帯電話機においても、磁界モードアンテナと電界モードアンテナとを適切に配置して切り替えれば、前述の実施の形態１と同様の効果が得られることは言うまでもない。
【００３８】
＜実施の形態２＞
図６は、本発明の実施の形態２に係る携帯電話機の背面透視図である。図６に示す実施の形態２の携帯電話機が図１に示す実施の形態１の携帯電話機と異なるところは、テレビジョン放送用のループアンテナ素子７、整合回路８、高周波スイッチ９、放送受信回路１０、及びアンテナ切替制御部１５などを下部筐体２から上部筐体１へ移動させたことと、下部筐体２の通信アンテナ４を取り除いて、上部筐体１にヘリカルアンテナ素子２８と整合回路２９を設けた点である。
【００３９】
つまり、図６において、ループアンテナ素子７は上部筐体１の下端部において、表示部１６が配置される面の対向する側の面、すなわち図６における＋Ｘ軸側面に配置されている。この実施の形態の場合も、ループアンテナ素子７のループ開口面は携帯電話機の面に対して直交しており、かつ携帯電話機の幅方向（Ｙ軸方向）に平行となっている。また、ヘリカルアンテナル素子２８は、ノーマルモードヘリカルアンテナとして動作するコイル状の導線で構成されており、整合回路２９によってインピーダンス整合が取られて上部筐体１内のグランドすなわち接地電位に対して不平衡給電されるように構成されている。なお、ヘリカルアンテナ素子２８の長さは例えば５ｃｍ程度に設定されている。
【００４０】
このように構成されたヘリカルアンテナ素子２８は電界モードアンテナ素子として動作し、その主偏波方向は垂直方向すなわちＺ軸方向となる。また、このヘリカルアンテナ素子２８とループアンテナ素子７は、図１の場合と同様に高周波スイッチ９によって選択して動作させるように構成されている。このように構成することにより、実施の形態１に示した場合と同様に、偏波ダイバーシチの効果と人体影響に対する切替効果とが得られ、常に最適なアンテナ特性で動作させることができる。ここで、携帯電話機の無線通信回路やアンテナを下部筐体２に内蔵しておけば、テレビジョン受信用アンテナとの間隔を確保することができるため、携帯電話機の送信波によるテレビジョン受信への影響などの相互干渉を低減することができる。なお、電界モードアンテナとしては、ヘリカルアンテナ素子に限らず、ミアンダ状導体素子、モノポール素子、あるいはホイップ素子などを用いてもよい。
【００４１】
＜実施の形態３＞
図７は、本発明の実施の形態３に係る携帯電話機の透視図である。図７では、折畳式携帯電話機の上部筐体１と下部筐体２を閉じた状態を示している。ループアンテナ素子７は上部筐体１のヒンジ部３の近傍において、下部筐体２に対向する側の面すなわち＋Ｘ軸側の面に配置されている。この場合も、ループアンテナ素子７のループ開口面は携帯電話機の面に対して直交しており、かつ携帯電話機の幅方向（Ｙ軸方向）に平行となっている。
【００４２】
また、イヤホン１１がイヤホンケーブル１２によってイヤホンコネクタ１３に接続されており、イヤホンコネクタ１３は上部筐体１の、例えば側面に配置されている。使用者はこのように構成された携帯電話機を閉じた状態で胸ポケットに収納する。図８は、図７に示すような閉じた放送用受信機付き携帯電話機を使用者の胸ポケットに入れて放送を聴いている状態を示す概念図である。
【００４３】
図８において、使用者３０は、携帯電話機１００の上部筐体１を使用者３０の正面方向（＋Ｘ軸方向）へ向け、かつ携帯電話機１００の幅方向（Ｙ軸方向）を水平に、すなわち携帯電話機１００の長手方向を垂直方向（−Ｚ軸方向）に向けて胸ポケット３１に収納している。そして、使用者３０はイヤホン１１を耳に挿入し、イヤホンケーブル１２は携帯電話機の位置まで垂れ下がっている。このような状態は、使用者３０が携帯電話機１００を胸ポケット３１に入れて放送波の音声のみを聴いている状態の代表的なものを示している。
【００４４】
このとき、ループアンテナ素子７は使用者３０の正面方向すなわち＋Ｘ軸方向に向いている場合、実施の形態１で説明したような偏波ダイバーシチの効果と人体影響に対する切替効果の両方が得られることになる。仮に、携帯電話機１００の下部筐体２を使用者３０の正面方向すなわち＋Ｘ軸方向へ向けて胸ポケット３１に入れた場合においては、ループアンテナ素子７は使用者側に向けられるためアンテナ性能が劣化するが、この場合は、イヤホンケーブル１２によって一定のアンテナ性能が確保される。このように、実施の形態３の携帯電話機１００によれば、携帯電話機１００を胸ポケット３１に入れる向きに関わらず、つまり、携帯電話機１００が人体近傍に置かれる位置関係や向きに影響されることなく、常に高いアンテナ性能を確保することができる。
【産業上の利用可能性】
【００４５】
以上のように、本発明に係る放送受信器付きの携帯電話機は、テレビジョン放送を視聴している状態において、携帯電話機が人体に近接した場合や人体から離れた場合など、携帯電話機が人体近傍に置かれる位置関係や向きに関わらず常に高いアンテナ性能が得られるので、受信性能の改善を図った放送用受信機付きの携帯電話機を構築することができる。
【図面の簡単な説明】
【００４６】
【図１】本発明の実施の形態１に係る携帯電話機の背面透視図
【図２】図１に示す携帯電話機におけるループアンテナ素子の説明図
【図３】図１に示す携帯電話機におけるイヤホンケーブルの説明図
【図４】図１に示す携帯電話機を用いてテレビジョン放送を視聴する状態を示す概念図
【図５】図１に示す携帯電話機を用いたときの各アンテナの平均利得を示す特性図
【図６】本発明の実施の形態２に係る携帯電話機の背面透視図
【図７】本発明の実施の形態３に係る携帯電話機の透視図
【図８】図７に示す携帯電話機を胸ポケットに入れて放送を聴いている状態を示す概念図
【符号の説明】
【００４７】
１  上部筐体
２  下部筐体
３  ヒンジ部
４  通信アンテナ
５  給電線
６  送受信回路
７  ループアンテナ素子（磁界モードアンテナ素子）
８，２４，２９  整合回路
９  高周波スイッチ
１０  放送受信回路
１１  イヤホン
１２  イヤホンケーブル（電界モードアンテナ素子）
１３  イヤホンコネクタ
１４，２１  音声信号線
１５  アンテナ切替制御部
１６  表示部
１７  画像処理部
１８  映像信号線
１９  回路基板
２０  グランド外導体
２２  挿入コネクタ部
２３  コイル
２８  ヘリカルアンテナ素子
１００  携帯電話機
【図１】
2006050136.tif 000003
【図２】
2006050136.tif 000004
【図３】
2006050136.tif 000005
【図４】
2006050136.tif 000006
【図５】
2006050136.tif 000007
【図６】
2006050136.tif 000008
【図７】
2006050136.tif 000009
【図８】
2006050136.tif 000010